(57)【要約】【課題】既設の排水用の配管に、新たに設けた設備から排出される排水を導入するための排水配管構造を提供する。【解決手段】蓋６によって閉鎖されている点検口７を有する既設の配管５に、ポータブルトイレ４等の新規設備から流出した排水が流入する排水配管構造１Ａであって、蓋６に貫通孔１５を設け、該貫通孔１５に、ポータブルトイレ４から流出した排水が流れる排水管１２を挿通して排水処理するようにした。これにより、ポータブルトイレ４等の新規設備から流出した排水は、前記排水管１２を通って既設の配管５内に案内され、該排水管１２の下流側の管口から排出される。【選択図】図１
2015209637.tif 000002
【特許請求の範囲】
【請求項１】
蓋によって閉鎖されている点検口を有する立管が接続された既設の配管に、新規設備から流出した排水が流入する排水配管構造であって、
前記点検口に配置された蓋に貫通孔が設けられており、該貫通孔に、前記新規設備から流出した排水が流れる排水管が挿通されている
ことを特徴とする排水配管構造。
【請求項２】
前記排水管と前記蓋とを相互固定する固定手段を具備している
請求項１に記載の排水配管構造。
【請求項３】
前記固定手段は、
前記排水管の外周面に形成された一対のフランジ部で構成されており、
前記蓋の貫通孔に該排水管が挿通された状態で、該蓋における貫通孔の周縁部が、前記一対のフランジ部の間に介挿されている
請求項２に記載の排水配管構造。
【請求項４】
前記一対のフランジ部間には、前記貫通孔の内周面と前記排水管の外周面との間の隙間を密封するためのシール部材が配設されている
請求項３に記載の排水配管構造。
【請求項５】
前記排水管の一部が、上下方向に開口した筒状のソケット管によって構成されており、該ソケット管は、
上下方向に開口したソケット本体と、
該ソケット本体の管軸に直交する方向に延設され、前記一対のフランジ部のうちの一方となるフランジ部と
を有し、
該フランジ部は、該ソケット本体の上端よりも下側に配置されており、該ソケット本体の上端部には、他の管材が接続可能な接続管端部が形成されている
請求項３又は請求項４に記載の排水配管構造。
【請求項６】
前記排水管の一部が、上下方向に開口した筒状のソケット管によって構成されており、該ソケット管は、
上下方向に開口したソケット本体と、
該ソケット本体の管軸に直交する方向に延設され、前記一対のフランジ部のうちの一方となるフランジ部と
を有し、
該フランジ部は、該ソケット本体の上端に配置されており、該ソケット本体の上端側の管端内に、他の管材が嵌入されて該ソケット管と他の管材とが接続されている
請求項３又は請求項４に記載の排水配管構造。
【請求項７】
上下方向に貫通した孔部を有する配管支持部材を備え、
前記孔部に前記排水管が挿通されて該配管支持部材が該排水管に固定され、かつ、該排水管が前記蓋の貫通孔に挿通された状態で、該配管支持部材の外周縁が全周にわたって、前記立管の内壁面に当接している
請求項１に記載の排水配管構造。
【請求項８】
前記貫通孔は、前記蓋の中央に設けられている
請求項１乃至請求項７のいずれか１項に記載の排水配管構造。
【請求項９】
前記蓋は親子蓋であり、前記貫通孔は子蓋に設けられている
請求項１乃至請求項８のいずれか１項に記載の排水配管構造。
【請求項１０】
前記排水管の下端が、前記既設の配管内に配置されている
請求項１乃至請求項９のいずれか１項に記載の排水配管構造。
【請求項１１】
蓋によって閉鎖されている点検口を有する立管が接続された既設の配管に、新規設備から流出した排水を導入する排水配管方法であって、
前記既設の配管に設けられた点検口を閉鎖する蓋に貫通孔を開ける工程と、
該貫通孔に、新規設備から流出した排水が流れる排水管を挿通する工程と
を含むことを特徴とする排水配管方法。
【発明の詳細な説明】
【技術分野】
【０００１】
本発明は、新たに設けた設備から排出される排水を、既設の排水用の配管に導入するための排水配管構造、及び排水配管方法に関する。
【背景技術】
【０００２】
従来、建物内で発生した排水は公共ますに集められ、該公共ますから下水本管へ導入されていることが一般的である。また、該公共ますに接続される配管は、定期的に点検や清掃を行う必要があるため、点検口を有する排水ますが該配管の所定位置に設けられていることもよく知られている。なお、該点検口は、点検時や清掃時以外は蓋によって閉鎖されている。
【０００３】
例えば特許文献１には、内部を点検する点検口、排水を排出する排出口、排水が流入する排水口、を設けた枡本体と、該枡本体の点検口を密閉する枡蓋と、から構成される排水枡と、排水枡の排出口に連結され、排水を屋外側に排出するための排水主管と、該排水枡の排水口と排水機器を連結する排水枝管と、から構成した排水枡を用いた屋内の床下配管が開示されている。
【０００４】
また特許文献２には、建物の床下にて、排水主管が建物の外周基礎の内側に沿って配管され、この排水主管の所定位置にて、建物内に設置された各種排水設備に接続されている排水枝管の流出側端部が接続され、前記排水主管の下流側端部が建物の外周基礎の外側地中に埋設された排水枡の流入側端部と接続され、この排水枡の流出側接続部と接続されている屋外側排水主管の下流側端部が公共枡の流入側接続部と接続されている住宅用排水システムであって、前記屋外側排水主管が、外周基礎の外側地中に埋設されているＵ字溝内に配置されて配管されている住宅用排水システムが開示されている。
【０００５】
ところで、既存の建物において新規な設備（例えばポータブルトイレや給湯システム）を増設する場合、該新規設備から排出される排水を建物の外に配された既存の配管に接続することがある。このような場合には、例えば排水ます周囲の地面を掘削して該排水ますの壁面を露出させ、そこに孔を開けて新たな排水配管を接続したり、あるいは、該排水ますに接続されている配管の壁面を露出させ、そこに孔を開けて新たな排水配管を接続したり、また新規に排水ますを接続して合流するようにしたりする。
【０００６】
なお、その他の新規設備としては、仮設トイレや、仮設住宅に備えられた雨水排水設備等も含まれる。このような設備から流出する排水を既存の排水用の配管に導入する場合にも、改めて地面を掘削して配管を接続するという作業が通常行われている。
【先行技術文献】
【特許文献】
【０００７】
【特許文献１】特開２００１−４０７４５号公報
【特許文献２】特開２００１−２２７０２１号公報
【発明の概要】
【発明が解決しようとする課題】
【０００８】
しかしながら、既に地中に埋設されている配管等を改めて掘り起こして露出させる作業は時間と労力を要し、また建物の周囲に犬走り等が設けられている場合には、別途コンクリートを取り除く作業と、施工後に再度コンクリートによって地面を覆う作業とが必要となり、コスト高となる大変大掛かりな工事となる。
【０００９】
また、新規設備が、仮設トイレや仮設住宅の雨水排水設備の場合には、一時的に利用する設備であるため、役割を果たした後に設備そのものが撤去されることが多い。このため、これに伴い、排水用配管の周囲を再度掘削して該当する排水配管を撤去する作業を要する。また、既設の配管に孔を開けてそこに排水配管を接続した場合には、撤去に伴い、当該孔を適切に塞いで原状の構造に回復させる必要があり、これらの作業は大変手間がかかって面倒であり、全体としてコストが高騰する問題があった。特に、施工現場が狭小地である場合には、手作業が要求されることもあり、上記した作業は効率が大変悪くなってしまう。
【００１０】
そこで本発明は、新規設備の設置に際し、新規設備からの排水を既設の排水配管に容易に導入でき、さらに当該新規設備を撤去する際にも最小限の手間をかけるだけで元の構造に回復させることができる排水配管構造、及び排水配管方法を提供することを目的とする。
【課題を解決するための手段】
【００１１】
本発明は、蓋によって閉鎖されている点検口を有する立管が接続された既設の配管に、新規設備から流出した排水が流入する排水配管構造であって、前記点検口に配置された蓋に貫通孔が設けられており、該貫通孔に、前記新規設備から流出した排水が流れる排水管が挿通されていることを特徴とする排水配管構造である。
【００１２】
かかる構成にあっては、新規設備から流出した排水は、前記排水管を通って既設の配管内に案内され、該排水管の下流側の管口から排出される。したがって、既設の配管周囲の地面を改めて掘削することなく新規設備の排水処理を行うことができ、施工時間やコストの大幅な低減が可能となる。勿論、仮に新規設備を撤去する場合には、不要となった排水管を撤去すると共に、点検口の蓋のみを新しいものに取り替えればよいため、最小限の手間をかけるだけで元の構造に回復させることができる。なお、本発明における新規設備には、上記したようなポータブルトイレ、給湯システム、仮設トイレ、あるいは仮設住宅に備えられた雨水排水設備等が含まれ、要は、排水を下水本管にまで導く必要がある新規な排水設備が該当する。
【００１３】
また、上記構成にあっては、前記排水管と前記蓋とを相互固定する固定手段を具備していることが望ましい。
【００１４】
かかる構成とすることにより、該排水管を貫通孔に挿通した状態で該排水管がぐらついたり、該排水管が蓋から意図せず外れたりしてしまうことを防止することができる。
【００１５】
なお、前記固定手段は、前記排水管の外周面に形成された一対のフランジ部で構成されており、前記蓋の貫通孔に該排水管が挿通された状態で、該蓋における貫通孔の周縁部が、前記一対のフランジ部の間に介挿されているものが提案される。
【００１６】
かかる構成とすることによって、前記蓋が前記フランジ部によって挟まれた状態となるため、該蓋に対して該排水管がその管軸方向に位置ずれすることがなくなり、該蓋と該排水管とが好適に固定される。また、該蓋の貫通孔が前記フランジ部によって被覆されるため、該貫通孔の内周面と該排水管の外周面との隙間を介してゴミ等が立管内に侵入してしまうことを抑制できる。
【００１７】
また、前記一対のフランジ部間には、前記貫通孔の内周面と前記排水管の外周面との間の隙間を密封するためのシール部材が配設されていることが望ましい。
【００１８】
かかる構成とすることにより、前記貫通孔と前記排水管との間から既設配管内の臭気が外部に漏出することを防止することができる。
【００１９】
また、前記排水管の一部が、上下方向に開口した筒状のソケット管によって構成されており、該ソケット管は、上下方向に開口したソケット本体と、該ソケット本体の管軸に直交する方向に延設され、前記一対のフランジ部のうちの一方となるフランジ部とを有し、該フランジ部は、該ソケット本体の上端よりも下側に配置されており、該ソケット本体の上端部には、他の管材が接続可能な接続管端部が形成されている構成が提案される。
【００２０】
かかる構成にあっては、前記フランジ部から地上方向に向かって突出した前記接続管端部に、他の管材を容易に接続することが可能となる。さらに、例えば該接続管端部における軸方向の長さを予め長めに設定しておき、施工現場の状況に応じて当該施工現場で該接続管端部を適正な長さに切断して使用することも可能となる。
【００２１】
これに対し、前記排水管の一部が、上下方向に開口した筒状のソケット管によって構成されており、該ソケット管は、上下方向に開口したソケット本体と、該ソケット本体の管軸に直交する方向に延設され、前記一対のフランジ部のうちの一方となるフランジ部とを有し、該フランジ部は、該ソケット本体の上端に配置されており、該ソケット本体の上端側の管端内に、他の管材が嵌入されて該ソケット管と他の管材とが接続されている構成としてもよい。
【００２２】
かかる構成にあっては、前記ソケット管を前記蓋に装着した状態で、ソケット管が地上側に過剰に突出しないため、施工時に現場の作業員が足を引っ掛けてソケット管を破損させてしまったり、該ソケット管につまずいて怪我をしたりしてしまう、ことが防止される。
【００２３】
また、上下方向に貫通した孔部を有する配管支持部材を備え、前記孔部に前記排水管が挿通されて該配管支持部材が該排水管に固定され、かつ、該排水管が前記蓋の貫通孔に挿通された状態で、該配管支持部材の外周縁が全周にわたって、前記立管の内壁面に当接している構成が提案される。
【００２４】
かかる構成とすることによっても、立管に対して排水管を位置決めすることが可能となる。また、該配管支持部材により、立管内が外気側と既設配管側とに分断されるため、既設の配管内の臭気が点検口を介して外部に漏出することを好適に防止することができる。
【００２５】
また、前記貫通孔は、前記蓋の中央に設けられていることが望ましい。
【００２６】
かかる構成とすることにより、排水管の下流側の管口を前記立管の横断面において中央に配置しやすくなるため、該管口から排出する排水が立管の内周面に飛散して該内周面を汚してしまう、ということを可及的に抑制することができる。したがって、前記立管が清潔に維持され、前記点検口を介した点検作業が衛生的な環境下で行える。また、蓋の中心軸線に対して偏心させて貫通孔を設けた構成に比して、蓋の強度低下を招きにくいという利点がある。
【００２７】
さらに、前記蓋は親子蓋であり、前記貫通孔は子蓋に設けられていることが望ましい。
【００２８】
かかる構成にあっては、前記新規設備が不要となって前記排水管と共に撤去する際に、該排水管が挿通されていた貫通孔を有する子蓋のみを孔のない新しいものと交換すれば元の構造に容易に回復することができる。このため、施工の作業時間やコストをより大幅に削減できる。
【００２９】
そして、前記排水管の下端が、前記既設の配管内に配置されていることが望ましい。
【００３０】
かかる構成とすることによって、前記排水管から流出する排水によって前記立管の内周面が汚れてしまうことを、より一層確実に防止することができる。
【００３１】
また、本発明は、蓋によって閉鎖されている点検口を有する立管が接続された既設の配管に、新規設備から流出した排水を導入する排水配管方法であって、前記既設の配管に設けられた点検口を閉鎖する蓋に貫通孔を開ける工程（工程１）と、該貫通孔に、新規設備から流出した排水が流れる排水管を挿通する工程（工程２）とを含むことを特徴とする排水配管方法である。
【００３２】
かかる構成とすることによって、新規設備に対応する新規の排水管を既設の配管に接続する際に、地面を掘削する工程を省くことができるため、施工の作業効率が大幅に向上する。また、該新規設備の撤去作業においても地面を改めて掘削する必要がないため、最小限の手間をかけるだけで元の構造に容易に回復させることができる。
【発明の効果】
【００３３】
本発明の排水配管構造は、新規設備の設置に際し、新規設備からの排水を既設の排水用の配管に容易に導入でき、さらに当該新規設備を撤去する際にも最小限の手間をかけるだけで元の構造に容易に回復させることができる利点がある。
【００３４】
また、本発明の排水配管方法は、既存の配管構造を、容易に上記排水配管構造とすることができる。
【図面の簡単な説明】
【００３５】
【図１】実施例１の排水配管構造の概略図である。
【図２】排水配管構造の要部を拡大して示す拡大縦断面図である。
【図３】ソケット管とストッパとを示し、（ａ）はソケット管の縦断面図、（ｂ）はソケット管の平面図、（ｃ）はストッパの縦断面図、（ｄ）はストッパの平面図である。
【図４】排水配管方法の手順を説明する説明図である。
【図５】図４から続く、排水配管方法の手順を説明する説明図である。
【図６】他のソケット管を示す縦断面図である。
【図７】実施例２の排水配管構造の要部を拡大して示す拡大縦断面図である。
【図８】（ａ）は配管支持部材の縦断面図、（ｂ）は配管支持部材の平面図である。
【図９】排水配管構造における配管支持部材周辺を示す図であり、（ａ）は一部切欠部分縦断面図、（ｂ）は（ａ）のＡ−Ａ線断面図である。
【図１０】実施例３の排水配管構造の要部を拡大して示し、（ａ）は拡大平面図、（ｂ）は拡大縦断面図である。
【発明を実施するための形態】
【００３６】
以下、本発明の排水配管構造、及び排水配管方法を具体化した実施例を詳細に説明する。なお、本発明の排水配管構造は、下記に示す排水配管構造１Ａ〜１Ｃに限定されることはなく、適宜設計変更が可能である。
【００３７】
〔実施例１〕
図１に示すように、新規設備としてのポータブルトイレ４を既設の建物２内に新しく設置した場合には、該ポータブルトイレ４から排出される排水を、建物２の外の地中に埋設された既設の配管５に導入する排水配管構造１Ａを構築することが提案される。
【００３８】
以下、排水配管構造１Ａについて説明する。
前記ポータブルトイレ４には、汚水を案内する配管１０が接続されており、該配管１０が床部３及び壁部９を介して、屋外に設置される真空排水ユニット１１に接続されている。そしてさらに、該真空排水ユニット１１には、汚水を既設の配管５に案内するための直管１３が接続されている。
【００３９】
一方、既設の配管５には、点検口７を有する立管８が接続されており、さらに該点検口７は、地上に配された蓋６によって閉鎖されている。また、図２に示すように、該蓋６の中央には、当該排水配管構造１Ａを構築すべく、上下方向に貫通した貫通孔１５が新たに設けられている。
【００４０】
そして、前記真空排水ユニット１１に接続された直管１３にエルボ管１４が接続され、該エルボ管１４に接続されたソケット管１６が、前記蓋６の貫通孔１５に挿通されている。ここで、該ソケット管１６と蓋６との間でがたつきが発生することを防止すべく、相互を固定するための固定手段３０が設けられている。
【００４１】
前記固定手段３０についてさらに詳述すると、図３（ａ），（ｂ）に示すように、前記ソケット管１６は、上下方向に開口した円筒状のソケット本体１７と、該ソケット本体１７の管軸に直交する方向に延設された鍔状のフランジ部１８とで構成されている。該フランジ部１８は、該ソケット本体１７の上端よりもやや下側に配置されており、該ソケット本体１７の上端部には、他の管材としての前記エルボ管１４が接続可能な差口形状の接続管端部１７ａが形成されている。また、前記フランジ部１８の外寸は、前記蓋６の貫通孔１５の孔径よりも大きく、かつ該蓋６の外径よりも小さい寸法に設定されている。そして、図２に示すように、該フランジ部１８が前記蓋６の上面に配置されるように、前記ソケット本体１７の下端部が立管８内に上から差し入れられている。
【００４２】
さらに、前記ソケット管１６には、図３（ｃ），（ｄ）に示すような円盤形状のストッパ１９が取り付けられている。具体的には、該ストッパ１９の外径は、上記ソケット管１６のフランジ部１８における外寸に略等しくなるように定められている。また、該ストッパ１９の中央には円形の孔１９ａが貫通状に設けられており、該孔１９ａの孔径は前記ソケット管１６のソケット本体１７の外形に合わせた寸法に設定されている。なお、該ストッパ１９の外径と、前記ソケット管１６のフランジ部１８の外径とが、異なる寸法であっても構わない。
【００４３】
そして、前記ソケット管１６のフランジ部１８の直下にシール部材である円環状のパッキン２０が配置され、かつ該ソケット管１６の下端部が該ストッパ１９の孔１９ａに挿通されて、該ストッパ１９がソケット管１６に接着剤を介して固定されている。これにより、上下に並んだ前記フランジ部１８と該ストッパ１９との間に、前記蓋６における貫通孔１５の周縁部が介挿された状態となり、該蓋６が該フランジ部１８と該ストッパ１９とで挟持され、該ソケット管１６と該蓋６とが相互に固定状態となっている。また、かかる状態で、前記パッキン２０により該貫通孔１５の内周面と、該ソケット管１６の外周面との間が密封されている。
【００４４】
さらに、上述のように、エルボ管１４における受口形状の下流側の管端がソケット管１６の上端に接続されると共に、前記ソケット管１６の下端には、接続継手２２が接続され、さらに延長パイプ２３が接続される。そして、該延長パイプ２３の下端が、既設の配管５内に配置されている。
【００４５】
なお、前記フランジ部１８と前記ストッパ１９の円盤部分とにより、本発明にかかる一対のフランジ部が構成され、本発明にかかる固定手段３０が実現されている。また、本実施例における直管１３、エルボ管１４、ソケット管１６、接続継手２２、及び延長パイプ２３により、本発明にかかる排水管１２が構成されている。したがって、該排水管１２の外周面１２ａは、具体的には該排水管１２を構成する各管材（例えば、直管１３、エルボ管１４、ソケット管１６、接続継手２２、又は延長パイプ２３）の外周面によって構成されている。
【００４６】
上記構成とすることにより、前記ポータブルトイレ４から流出した排水は、前記排水管１２を通って立管８内に案内され、該排水管１２の下流側の管口から既設の配管５内に導入される。
【００４７】
また、上記構成は、前記排水管１２と前記蓋６とが固定手段３０により相互固定されているため、該排水管１２がぐらついたり、該排水管１２が蓋６から意図せず外れたりしてしまうことがない。また、該固定手段３０は、フランジ部１８とストッパ１９とで蓋６を挟持する構造であるため、該蓋６と該排水管１２とが強固に接続される。また、該フランジ部１８が、該蓋６の貫通孔１５を被覆しているため、該貫通孔１５内に地上のゴミ等が入り込んでしまうことが抑制されている。また、貫通孔１５の内周面と排水管１２の外周面１２ａとの隙間を密封するためのパッキン２０を備えているため、既設の配管５内の臭気が外部に漏出することが抑止されている。また、前記ソケット管１６とストッパ１９は、容易に着脱可能であるため、点検口７を利用したメンテナンスの際に作業を妨げることが抑制される。
【００４８】
また、前記貫通孔１５が前記蓋６の中央に設けられ、かつ前記排水管１２の下端が既設の配管５内に配置されているため、該排水管１２の管口から排出される排水が、立管８の内壁面４７に飛散して該内壁面４７を汚してしまう、ということが可及的に抑制されている。このため、前記点検口７の衛生環境が好適に維持されている。また、貫通孔１５が蓋６の中央に配されることにより、貫通孔１５を形成することによる蓋６自体の強度低下が可及的に抑えられている。なお、前記配管５には、立管８が接続される既設の排水ますや、該排水ますに接続されている既設の管材が含まれる。
【００４９】
以下に、排水配管構造１Ａの施工手順を再度詳細に説明する。
新規設備としてのポータブルトイレ４が設置される以前においては、既設の配管５の点検口７は孔のない蓋６（図４ａ参照）によって完全に遮蔽されている。そして、ポータブルトイレ４を新規に設置することに伴い、図４（ｂ）に示すように、排水管１２の外径よりも若干広い径の貫通孔１５をホールソー等で設ける（工程１）。あるいは、貫通孔１５が既に開口した蓋６を新たに準備して配置するようにしてもよい。なお、蓋６自体の強度を十分に確保することができるのであれば、蓋６の中心軸線に対して偏心させて貫通孔１５を設けてもよい。
【００５０】
次に、図５（ｃ）に示すように、前記蓋６の貫通孔１５内にソケット管１６を上から挿通し（工程２）、該貫通孔１５の内周面と該ソケット管１６の外周面との間にパッキン２０を配置する。そして、図５（ｄ）に示すように、ストッパ１９を蓋６の下側から装着して、該蓋６を、フランジ部１８とストッパ１９とで挟持する。さらに、該ソケット管１６の上流側と下流側とに適宜上記部材を接続して、図２に示すような排水配管構造１Ａを構築する。
【００５１】
かかる排水配管方法とすることにより、ポータブルトイレ４を設置するために点検口７周囲の地面を掘削したり、建物２周囲のコンクリート等を剥がしたりする等の工程が不要となるため、施工時間やコストの大幅な低減が可能となる。また、仮にポータブルトイレ４が不要となって排水配管構造１Ａを撤去することになったとしても、再度地面を掘削する必要もなく、不要となった排水管１２を取り除いた後、孔のない蓋６を取り付け直せば、元の構造に回復することができる。なお、各管材の取付順序は、施工現場の状況によって適宜変更することが可能である。また、各管材を使用する際には、施工現場の状況に応じて当該施工現場で適正な長さに切断して使用することができる。例えば、前記ソケット管１６の接続管端部１７ａを、前記真空排水ユニット１１に接続された直管１３の高さ位置に応じて、適正な長さに切断して使用することが可能である。
【００５２】
本実施例において、前記ストッパ１９をソケット管１６に取り付ける手段としては、接着剤を用いる構成に限定されるものではなく、例えばソケット管１６の外周面に雄ネジが形成され、かつ、ストッパ１９の孔１９ａの内周面に雌ネジが形成されて、相互を螺着するようにした構成としてもよい。また、該ストッパ１９と該ソケット管１６とを留めネジ等で固定してもよいし、ストッパ１９の孔１９ａにソケット本体１７を圧入固定するような寸法設定にしておくようにしてもよい。
【００５３】
また、図６に示すようなソケット管２６を採用することもできる。該ソケット管２６にあっては、フランジ部１８がソケット本体１７の上端に配置されている。そして、該ソケット本体１７の上端は受口形状となっており、該ソケット本体１７の上端に、差口形状とされたエルボ管１４の下流側の管端が嵌入されて、該ソケット管２６と該エルボ管１４とが接続される。
【００５４】
かかる構成にあっては、前記ソケット管２６を蓋６に装着した状態で、ソケット管２６が地上側に過剰に突出しないため、施工時に現場の作業員が足を引っ掛けてソケット管２６を破損させてしまったり、該ソケット管２６につまずいて怪我をしたりしてしまう、ということを防止することができる。
【００５５】
また、これまでに述べた実施例にあって、パッキン２０の配設位置は、上記構成の位置に限定されることはなく、適宜変更することが可能である。また、排水管１２を構成する管材は、塩化ビニル製のものが好適に採用可能であるが、特に限定されるものではなく、ホース等が代用されてもよい。また、前記排水管１２の下端は、既設の配管５内に配置されることが望ましいが、かかる構成に限定されるものではない。
【００５６】
〔実施例２〕
図７に従って、実施例２にかかる排水配管構造１Ｂを説明する。なお、上記実施例１と同様の構成であるものは、同じ符号を付し、また説明を簡略するものとする。
【００５７】
本実施例にかかる排水配管構造１Ｂにあっては、配管支持部材４５によって排水管１２が蓋６に対して位置決めされている。さらに詳述すると、図８に示すように、該配管支持部材４５は、ＳＢＲ等の合成ゴム材料からなり、上下方向に貫通した孔部４６ａを有する円筒状の本体部４６と、該本体部４６から左右方向に延出形成された鍔状のフランジ部４８とを備えている。
【００５８】
そして、図７，９に示すように、前記配管支持部材４５における本体部４６の孔部４６ａに排水管１２が圧入されて、該排水管１２に該配管支持部材４５が固定された状態で、蓋６の貫通孔１５に該排水管１２が挿通されることで当該排水配管構造１Ｂが実現されている。この使用状態にあっては、該配管支持部材４５の該フランジ部４８が前記立管８の内壁面４７に向かって差し出され、該フランジ部４８の先端縁４８ａが、該立管８の内壁面４７に圧接した状態となっている。すなわち、該配管支持部材４５の外周縁が全周にわたって、該立管８の内壁面４７に当接した状態となっている。
【００５９】
かかる構成とすることにより、前記排水管１２が、立管８及び蓋６に対して位置決めされると共に、立管８内が外気側と既設配管５側とに分断されるため、既設の配管５内の臭気が点検口７を介して外部に漏出することを好適に防止できる。
【００６０】
なお、前記配管支持部材４５を排水管１２に固定する構成は、上記実施例に限定されることはなく、接着剤等で接着してもよいし、別部材からなる固定具を用いるようにしてもよい。また、例えば配管支持部材４５のフランジ部４８は、上記のように単数である必要はなく、上下に複数段設けられていても構わない。また、同一の配管支持部材４５が、立管８内に複数配置されていても構わない。さらに、前記配管支持部材４５が全体として円盤形状をなしており、具体的にフランジ部４８が形成されていないような外観形状であっても構わない。
【００６１】
〔実施例３〕
図１０に従って、実施例３にかかる排水配管構造１Ｃを説明する。なお、上記実施例１，２と同様の構成であるものは、同じ符号を付し、また説明を簡略するものとする。
【００６２】
本実施例にあっては、点検口７を閉塞する蓋５１が、親蓋５１ａと子蓋５１ｂとからなる親子蓋で構成されている。そして、該子蓋５１ｂの中央に、貫通孔５２が設けられ、該貫通孔５２に排水管１２が挿通されている。
【００６３】
かかる構成とすることにより、前記ポータブルトイレ４が不要となって前記排水管１２と共に撤去する際に、該排水管１２が挿通されていた貫通孔５２を有する子蓋５１ｂのみを孔のない新しい子蓋と交換すれば元の構造に容易に回復することができ、作業時間やコストをより大幅に削減することができる。また、子蓋５１ｂが配設されている孔を貫通孔５２として利用することも可能である。
【００６４】
これまでに述べた実施例１〜３の排水配管構造１Ａ〜１Ｃは、排水ます、又は雨水ます等にも勿論適用可能である。
【符号の説明】
【００６５】
１Ａ〜１Ｃ                排水配管構造
４                        ポータブルトイレ（新規設備）
５                        配管
６，５１                  蓋
７                        点検口
８                        立管
１２                      排水管
１２ａ                    外周面
１５，５２                貫通孔
１６，２６                ソケット管
１７                      ソケット本体
１７ａ                    接続管端部
１８                      フランジ部
１９                      ストッパ（フランジ部）
２０                      パッキン（シール部材）
３０                      固定手段
４５                      配管支持部材
４６ａ                    孔部
４７                      内壁面
５１ｂ                    子蓋
【図１】
2015209637.tif 000003
【図２】
2015209637.tif 000004
【図３】
2015209637.tif 000005
【図４】
2015209637.tif 000006
【図５】
2015209637.tif 000007
【図６】
2015209637.tif 000008
【図７】
2015209637.tif 000009
【図８】
2015209637.tif 000010
【図９】
2015209637.tif 000011
【図１０】
2015209637.tif 000012